(57)【要約】【課題】本発明は、眼鏡用防塵具に関する【解決手段】  弾性変形可能な軟質な材料で形成され、眼鏡のレンズ又はリムに取り付けて使用する眼鏡用防塵具であって、前記レンズ１０１の外周及び／又は前記リム１０２に沿うように配置され、着用者の目及びその周辺を包囲して覆う平板状の本体部１０と、前記本体部１０、２１０、３１０の一方の端である縁沿部１１、２１１、３１１に一又は複数個形成され、前記レンズ１０１及び／又は前記リム１０２に着脱可能に係合する係合部２１、２２、２２１、３２１、３２２、３２３とからなり、前記本体部１０、２１０、３１０は、前記着用者の目に塵埃、花粉、ウィルス又は細菌その他の飛散物質の侵入を防ぐことを特徴とする。【選択図】図１
2015068964.tif 000002
【特許請求の範囲】
【請求項１】
弾性変形可能な軟質な材料で形成され、眼鏡のレンズ又はリムに取り付けて使用する眼鏡用防塵具であって、
前記レンズ（１０１）の外周及び／又は前記リム（１０２）に沿うように配置され、着用者の目及びその周辺を覆う平板状の本体部（１０）と、
前記本体部（１０、２１０、３１０）の一方の側である縁沿部（１１、２１１、３１１）に一又は複数個形成され、前記レンズ（１０１）及び／又は前記リム（１０２）に着脱可能に係合する係合部（２１、２２、２２１、３２１、３２２、３２３）とからなり、
前記本体部（１０、２１０、３１０）は、前記着用者の目に塵埃、花粉、ウィルス又は細菌その他の飛散物質の侵入を防ぐ
ことを特徴とする眼鏡用防塵具。
【請求項２】
請求項１に記載された眼鏡用防塵具において、
前記係合部（２１、２２、２２１、３２１、３２２、３２３）は、前記眼鏡の前記レンズ（１０１）及び／又は前記リム（１０２）を挟み込んで弾性力で係合状態を維持する挟持構造に形成されている
ことを特徴とする眼鏡用防塵具。
【請求項３】
請求項１又は２に記載された眼鏡用防塵具において、
前記本体部（１０、２１０、３１０）の他方の側は、所定の寸法の傾斜、円弧又は放物線を描くように形成され、前記着用者の顔面に接触する顔面接触部（１２、２１２、３１２）であり、
前記顔面接触部（１２、２１２、３１２）は、前記着用者が前記眼鏡を使用したとき、弾性変形することで前記着用者の顔面に密着する
ことを特徴とする眼鏡用防塵具。
【請求項４】
請求項３に記載された眼鏡用防塵具において、
前記本体部（２１０）の肉厚は、縁沿部（２１１）から前記顔面接触部（２１２）にかけて先細るテーパーに形成されている
ことを特徴とする眼鏡用防塵具。
【請求項５】
請求項１〜４のいずれか１項に記載された眼鏡用防塵具において、
前記軟質な材料は、合成樹脂、エラストマー及びゴムから選択される１種以上である
ことを特徴とする眼鏡用防塵具。
【請求項６】
請求項５に記載された眼鏡用防塵具において、
前記軟質な材料は、前記飛散物質の付着を防ぐ帯電防止部材である
ことを特徴とする眼鏡用防塵具。
【請求項７】
請求項１〜６のいずれか１項に記載された眼鏡用防塵具において、
前記本体部（１０、２１０、３１０）又は前記係合部（２１、２２、２２１、３２１、３２２、３２３）は、内部を見ることができる透明又は半透明に形成されている
ことを特徴とする眼鏡用防塵具。
【発明の詳細な説明】
【技術分野】
【０００１】
本発明は、眼鏡に取り付けて使用する眼鏡用防塵具に関する。本発明は、目の周辺を包囲して、塵埃、花粉等の侵入防止、ウィルス、細菌等の飛散物質が目に侵入することを防ぐための眼鏡用防塵具に関する。
【背景技術】
【０００２】
近年、花粉症にかかる者が多くなり、その症状には、くしゃみ、鼻水、鼻づまり又は目のかゆみがある。花粉症の患者は、このような症状のため、集中力を欠いてしまい、仕事や勉強に支障が生じてしまうことがある。その症状をおさえるため多くの薬が販売されているが、これを服用すると眠くなってしまう。花粉症の患者が、その症状を和らげる対策の一つとして、花粉と接しない生活を送ることであるが、通勤や通学が余儀なくされる現在社会においてこれは難しい。
【０００３】
花粉の鼻への侵入を防止する道具としては、マスクが多く製造され、販売されている。花粉の目への侵入を防止する道具としては、目の周りを覆う花粉対策用の保護眼鏡がある。眼鏡をかける者は、眼鏡をファッションの一つと考えており、優れたデザインのものを選択する傾向にある。また、眼鏡をかける者には、服や季節に応じて使い分けるために複数の眼鏡を所持していることもある。しかし、従来の花粉対策用の保護眼鏡は、優れたデザインのものが少なく、ファッションに気を使う人たちには選択されることがあまりない。
【０００４】
また、既に複数の眼鏡をもっている者が、あらためてデザイン性の乏しい花粉対策用の保護眼鏡を選択することもまれである。さらに、眼鏡をかける者は、左右の視力が同じことはあまりなく、眼鏡のレンズも各々の視力にあわせられることが多い。しかし、従来の花粉対策用の保護眼鏡は、既にレンズが嵌め込まれている既成のものが多く、顧客の注文を受けてからレンズを選択する受注生産のものが少なかった。これらのことから、眼鏡用防塵具には、さまざまな提案がなされているが、特許文献を基に、従来の技術を説明する。
【０００５】
直接目に花粉や埃が入りにくくなり、花粉症の症状やドライアイの軽減効果が高く、軽く目立たずに普段通りに使用できる保護眼鏡に関する技術が知られている（例えば、特許文献１参照）。常時使用している眼鏡を装着したままの状態で、花粉から目を保護する等の防塵機能を効果的で且つ安価な眼鏡用防塵具に関する技術が知られている（例えば、特許文献２参照）。
【０００６】
眼鏡を装着したままの状態で、花粉から目を保護する等の防塵機能を効果的に且つ安価に奏し得る眼鏡保護カバーに関する技術が知られている（例えば、特許文献３参照）。眼鏡（特に、度付き眼鏡）が装着された状態で、花粉から眼を保護する等の防塵機能を効果的で安価な眼鏡用防塵具に関する技術が知られている（例えば、特許文献４参照）。
【先行技術文献】
【特許文献】
【０００７】
【特許文献１】特開２００４−３４１１２４号公報
【特許文献２】特開２００６−２３４８８４号公報
【特許文献３】特開２００４−３２５５９０号公報
【特許文献４】特開２０１０−２１１１６９号公報
【発明の概要】
【発明が解決しようとする課題】
【０００８】
しかし、特許文献１に示された保護眼鏡では、防塵具は、それに対応した眼鏡にしか使用できず、多くの眼鏡に使用できないという問題点があった。特許文献２に示された眼鏡用防塵具では、それを構成する眼鏡部と弾性部材とは異なる部材で構成されているため、製造工程が多く複雑であるという問題点があった。
【０００９】
特許文献３に示された眼鏡用保護カバーは、面ファスナー等で形成された第１取付部材１３や第２取付部材により眼鏡のブリッジに挟むことにより眼鏡に取り付けることができる。しかし、この第１取付部材や第２取付部材は、顔面側に設けられており、これが着用者の顔面にあたり不快になる問題点があった。特許文献４に示された眼鏡用防塵具は、比較的硬質なポリアミド系樹脂で形成された係止部３を眼鏡のリムに取り付けるため、リムやレンズを傷つけてしまうという問題点があった。また、これらの、防塵具又は眼鏡用防塵具は、立体的な形状であるため、使用しないときには、収納に場所をとるという問題点があった。
【００１０】
本発明は、このような社会的、技術的背景に基づいたものであり、次のような目的を達成する。本発明の目的は、軟質な素材で製造されているので既存の眼鏡への着脱作業が容易な眼鏡用防塵具を提供することにある。また、本発明の他の目的は、使用しないときはかさ張ることなく収納しておくことができる眼鏡用防塵具を提供することにある。
【課題を解決するための手段】
【００１１】
本発明は、前記目的を達成するために次の手段をとる。
本発明１の眼鏡用防塵具は、弾性変形可能な軟質な材料で形成され、弾性変形可能な軟質な材料で形成され、眼鏡のレンズ又はリムに取り付けて使用する眼鏡用防塵具であって、前記レンズの外周及び／又は前記リムに沿うように配置され、着用者の目及びその周辺を覆う平板状の本体部と、前記本体部の一方の側である縁沿部に一又は複数個形成され、前記レンズ及び／又は前記リムに着脱可能に係合する係合部とからなり、前記本体部は、前記着用者の目に塵埃、花粉、ウィルス又は細菌その他の飛散物質の侵入を防ぐことを特徴とする。
【００１２】
本発明２の眼鏡用防塵具は、本発明１において、前記係合部は、前記眼鏡の前記レンズ及び／又は前記リムを挟み込んで弾性力で係合状態を維持する挟持構造に形成されていることを特徴とする。
【００１３】
本発明３の眼鏡用防塵具は、本発明１又は２において、前記本体部の他方の側は、所定の寸法の傾斜、円弧又は放物線を描くように形成され、前記着用者の顔面に接触する顔面接触部であり、前記顔面接触部は、前記着用者が前記眼鏡を使用したとき、弾性変形することで前記着用者の顔面に密着することを特徴とする。
【００１４】
本発明４の眼鏡用防塵具は、本発明１から３のいずれかにおいて、前記本体部の肉厚は、縁沿部から前記顔面接触部にかけて先細るテーパーに形成されていることを特徴とする。
【００１５】
本発明５の眼鏡用防塵具は、本発明１〜４のいずれかにおいて、前記軟質な材料は、合成樹脂、エラストマー及びゴムから選択される１種以上であることを特徴とする。
【００１６】
本発明６の眼鏡用防塵具は、本発明５において、前記軟質な材料は、前記飛散物質の付着を防ぐ帯電防止部材であることを特徴とする。
【００１７】
本発明７の眼鏡用防塵具は、本発明１〜６のいずれかにおいて、前記本体部又は前記係合部は、内部を見ることができる透明又は半透明に形成されていることを特徴とする。
【発明の効果】
【００１８】
以上説明したように、本発明の眼鏡用防塵具は、軟質な素材で製造されているので既存の眼鏡への着脱作業が容易である。また、本発明の眼鏡用防塵具は、使用しないときは略平板状になるためかさ張ることなく収納しておくことができる。
【図面の簡単な説明】
【００１９】
【図１】図１は、本発明の実施の形態１の眼鏡用防塵具１を示す図であって、着用者が眼鏡１００に取り付けて使用している状態を示す外観図である。
【図２】図２は、眼鏡用防塵具１の正面図である。
【図３】図３は、図２をα−α線で切断した断面図である。
【図４】図４は、図２をβ−β線で切断した断面図である。
【図５】図５は、眼鏡用防塵具１を取り付けた眼鏡１００を背面の側から示す外観図である。
【図６】図６は、眼鏡用防塵具１を取り付けた眼鏡１００を正面の側から示す外観図である。
【００２０】
【図７】図７は、ヒンジ１０４とつる１０５を覆うように、眼鏡用防塵具１を眼鏡１００に取り付けた状態を示す外観図である。
【図８】図８は、本発明の実施の形態２の眼鏡用防塵具２０１の断面図である。
【図９】図９は、本発明の実施の形態３の眼鏡用防塵具３０１を取り付けた眼鏡１００を正面の側から示す外観図である。
【図１０】図１０は、ヒンジ１０４とつる１０５を覆うように、眼鏡用防塵具３０１を眼鏡１００に取り付けた状態を示す外観図である。
【発明を実施するための形態】
【００２１】
〔実施の形態１〕
本発明の実施の形態１を図面に基づいて詳細に説明する。図１は、本発明の実施の形態１の眼鏡用防塵具１を示す図であって、着用者が眼鏡１００に取り付けて使用している状態を示す外観図である。図２は、眼鏡用防塵具１の正面図である。図３は、図２をα−α線で切断した断面図である。図４は、図２をβ−β線で切断した断面図である。図５は、眼鏡用防塵具１を取り付けた眼鏡１００を背面の側から示す外観図である。
【００２２】
図６は、眼鏡用防塵具１を取り付けた眼鏡１００を正面の側から示す外観図である。図７は、ヒンジ１０４とつる１０５を覆うように、眼鏡用防塵具１を眼鏡１００に取り付けた状態を示す外観図である。図１に示すように、顔面側から眼鏡１００のレンズ側の矢印Ｆが示す方向を「前方向」とし、その逆方向を示す矢印Ｂが示す方向を「後方向」として説明する。また、矢印Ｕが示す方向を「上方向」とし、その逆方向を示す矢印Ｄが示す方向を「下方向」として説明をする。
【００２３】
なお、実施の形態１において、眼鏡１００は、周知なもので良く、図５に示すように、一組のレンズ１０１、リム１０２、ヒンジ１０４、つる１０５、耳あて１０６及び鼻あて１０７と、リム１０２間を連結するブリッジ１０３等とから構成されている。リム１０２は丸みのある略台形に形成されており、一組の略平行な対辺を上リム１０２ａ、下リム１０２ｂとし、他の一組の対辺を内リム１０２ｃ、外リム１０２ｄとして説明する。眼鏡１００は、リム１０２が略台形に形成されているタイプのものを使用しているが、リム１０２の形状が他のタイプのものでも良いことはいうまでもない。
【００２４】
次に、眼鏡１００に取り付けられる眼鏡用防塵具１について説明をする。図１に示すように、眼鏡用防塵具１は、眼鏡１００のレンズ１０１及び／又はリム１０２に対して着脱自在に取り付けられる。図２に示すように、眼鏡用防塵具１は、本体部１０、長係合部２１及び短係合部２２とから形成されている。本体部１０は、図２に示すように、対称軸Ｌ１を基準に左右対称の平板状に形成され、図３に示すように、薄い厚みを有するように形成されている。
【００２５】
本体部１０は、レンズ１０１又はリム１０２に沿って曲げることができるように、軟質で弾性変形可能なゴム状の性質を有するシリコーンで形成されている。眼鏡用防塵具１は、硬化前の粘性率が高いミラブル型シリコーンを材料として用いており、所定の金型で加熱、加圧して硬化することで成形されている。眼鏡用防塵具１は、着用者が使用した際に目立たなくするために、内部を見ることができる透明又は半透明に形成されている。なお、眼鏡用防塵具１は、顔料を混ぜ合わせて着色されていても良いし、金属片、ビーズ、宝石及びラメ等を入れて意匠性を向上させても良い。
【００２６】
図２に示すように、本体部１０の一方の側である縁沿部１１は、一直線上に形成されている。本体部１０の他方の側である顔面接触部１２は、着用者の顔面にフィットするように所定の寸法の傾斜、円弧又は放物線を描くように形成されている。顔面接触部１２は、眼鏡用防塵具１を取り付けた眼鏡１００を着用者が使用したとき（以下、「着用状態」という。）、顔面の目の周りに配置される部分であり、図２に示すように、略Ｗ形状に形成されている。
【００２７】
長係合部２１は、リム１０２に係合するための係合部材であり、図２に示すように、対称軸Ｌ１を基準に左右対称になるように縁沿部１１の所定の位置に２つ形成されている。長係合部２１は、リム１０２を挟み込んで係合状態を維持することができるように、軟質で弾性変形可能なゴム状の性質を有するシリコーンで形成されている。長係合部２１は、図２及び３に示すように、縁沿部１１に沿うように本体部１０と一体に形成されている。長係合部２１は、図２及び３に示すように、その断面形状は略円筒形状に形成され、リム１０２の上リム１０２ａと略同一又は小さい寸法に形成されている（図５参照）。
【００２８】
長係合部２１は、その一端から他端にかけて切り欠くように切欠２１ａが形成されており、図３に示すように、断面視すると略Ｃ字形状に形成されている。切欠２１ａは、本体部１０に対して略９０度の角度位置に位置するように長係合部２１に形成されている。長係合部２１の内径寸法２１ｂは、リム１０２を挟み込んで係合することができるように、リム１０２の厚み寸法と略同一又は小さい寸法に形成されている。
【００２９】
短係合部２２は、リム１０２に係合するための係合部材であり、図２に示すように、対称軸Ｌ１を基準に左右対称になるように縁沿部１１の両端に２つ形成されている。短係合部２２は、リム１０２を挟み込んで係合状態を維持することができるように、軟質で弾性変形可能なゴム状の性質を有するシリコーンで形成されている。短係合部２２は、図２及び４に示すように、縁沿部１１に沿うように本体部１０と一体に形成されている。短係合部２２は、図２及び４に示すように、その断面形状は略円筒形状に形成され、長係合部２１より短く形成されている。
【００３０】
短係合部２２は、その一端から他端にかけて切り欠くように切欠２２ａが形成されており、図４に示すように、断面視すると略Ｃ字形状に形成されている。切欠２２ａは、本体部１０に対して略９０度の角度位置に位置するように、短係合部２２に形成されている。短係合部２２の内径寸法２２ｂは、リム１０２を挟み込んで係合することができるように、リム１０２の厚み寸法と略同一又は小さい寸法に形成されている。
【００３１】
図２に示すように、２つの長係合部２１と２つの短係合部２２は、それぞれの中心線が同一軸線Ｌ２上に位置するように縁沿部１１に沿って設けられている。長係合部２１に形成される切欠２１ａと短係合部２２に形成される切欠２２ａとは、同一角度位置（例えば、図３及び４における矢印γ方向）に形成されている。
【００３２】
〔実施の形態１の眼鏡用防塵具１の使用方法〕
眼鏡用防塵具１の使用方法について、図１、２、５及び６に基づいて説明する。眼鏡用防塵具１は、通常、図２に示すように、平板状であり眼鏡１００に取り付けるときに、図５及び６に示すように、曲げて使用する。まず、長係合部２１の切欠２１ａを、リム１０２の上リム１０２ａにあてる。この状態で長係合部２１を上リム１０２ａに押しつけると、長係合部２１が弾性変形して切欠２１ａが開口する。さらに、長係合部２１を上リム１０２ａを押しつけると、長係合部２１が上リム１０２ａを挟み込む。長係合部２１は、上リム１０２ａを弾性力により挟み込むことで係合状態を維持する。
【００３３】
２つの長係合部２１を上リム１０２ａに係合させた後、縁沿部１１をリム１０２の外周に沿わせるようにして本体部１０を曲げる。そして、短係合部２２の切欠２２ａを、リム１０２の外リム１０２ｄにあてる。この状態で短係合部２２を外リム１０２ｄに押しつけると、短係合部２２が弾性変形して切欠２２ａが開口する。さらに、短係合部２２を外リム１０２ｄを押しつけると、短係合部２２が外リム１０２ｄを挟み込む。短係合部２２は、外リム１０２ｄを弾性力により挟み込むことで係合状態を維持する。
【００３４】
なお、眼鏡用防塵具１を眼鏡１００から取り外したいときは、短係合部２２付近の本体部１０を引っ張る。このとき、所定以上の力が短係合部２２に加わえると弾性変形して、リム１０２に対する係合状態が解除される。また、同様に長係合部２１付近の本体部１０を引っ張り、所定以上の力を長係合部２１に加わえると弾性変形して、リム１０２に対する係合状態が解除される。このように眼鏡用防塵具１は、眼鏡１００から引っ張るだけで簡単に取り外すことができる。
【００３５】
図５及び６に示すように、２つの長係合部２１を上リム１０２ａに係合し、２つの短係合部２２を外リム１０２ｄに係合すると、眼鏡用防塵具１が眼鏡１００に係合する。眼鏡用防塵具１が眼鏡１００に係合されると、リム１０２を沿うとともに、本体部１０はレンズ１０１に対して略９０度の角度位置に配置される。このように眼鏡用防塵具１が取り付けられた状態で、着用者が眼鏡１００を使用すると、図１に示すように、顔面接触部１２は、弾性変形して顔面に対して密着する。
【００３６】
眼鏡用防塵具１は、眼鏡１００に取り付けられて着用者の目の周りを包囲するように覆うため、塵埃、花粉等の侵入防止、ウィルス、細菌等の飛散物質の侵入を防ぎ、着用者の目を保護する。眼鏡用防塵具１は、取り外しが自在であると供に、平板状であるため収納し易く、持ち運びの際にかさ張らない。このため、外出時等に飛散物質から目を保護するために眼鏡１００に眼鏡用防塵具１を取り付け、在宅時等には取り外すという動作が簡単にできる。
【００３７】
なお、実施の形態１では、図６に示すように、眼鏡用防塵具１は、リム１０２に沿うように配置して、眼鏡１００に取り付けている。しかし、図７に示すように、本体部１０がヒンジ１０４やつる１０５を覆うように配置して、眼鏡１００に取り付けても良い。
【００３８】
〔実施の形態２〕
本発明の実施の形態２を図面に基づいて詳細に説明する。なお、この実施の形態２の眼鏡用防塵具２０１は、前述した実施の形態１の眼鏡用防塵具１とほぼ同様の構成であるため詳細な説明は省略する。図８は、本発明の実施の形態２の眼鏡用防塵具２０１の断面図であり、実施の形態１の図３に相当する断面図である。
【００３９】
本体部２１０は、縁沿部２１１から顔面接触部２１２にかけて先細るようにテーパーに形成されている。つまり、実施の形態２の眼鏡用防塵具２０１は、本体部２１０の顔面接触部２１２側が薄くなるように形成されている。実施の形態２の眼鏡用防塵具２０１は、テーパーに形成されているため、顔面接触部２１２が実施の形態１の顔面接触部１２と比較すると柔らかい。このため、眼鏡用防塵具２０１を眼鏡１００に取り付けて使用したとき、顔面接触部２１２は、弾性変形して着用者の顔面に対してぴったりと密着する。
【００４０】
〔実施の形態３〕
本発明の実施の形態３を図面に基づいて詳細に説明する。図９は、本発明の実施の形態３の眼鏡用防塵具３０１を取り付けた眼鏡１００を正面の側から示す外観図である。図１０は、ヒンジ１０４とつる１０５を覆うように、眼鏡用防塵具３０１を眼鏡１００に取り付けた状態を示す外観図である。この実施の形態３の眼鏡用防塵具３０１は、前述した実施の形態１の眼鏡用防塵具１を利用している。つまり、実施の形態１の眼鏡用防塵具１は、目の上側の部分と目の耳側の部分を覆っているが、実施の形態３の眼鏡用防塵具３０１は、目の下側の部分も覆えるように形成されている。
【００４１】
図９に示すように、眼鏡用防塵具３０１は、本体部３１０、第一長係合部３２１、短係合部３２２及び第二長係合部３２３とから形成されている。第一長係合部３２１の構造、機能は、実施の形態１の長係合部２１とほぼ同様であるためその説明は省略する。また、短係合部３２２は、縁沿部３１１の両端に形成されていない点を除き、実施の形態１の短係合部２２とほぼ同様の構成であるためその説明は省略する。
【００４２】
本体部３１０は、実施の形態１の本体部１０と比較してその幅寸法がさらに大きく形成されている。第二長係合部３２３は、リム１０２に係合するための係合部材であり、縁沿部３１１の両端に２つ形成されている。第二長係合部３２３を構成する構造、機能又は材質は、第一長係合部３２１とほぼ同様であるのでその説明は省略する。実施の形態３の眼鏡用防塵具３０１は、図９に示すように、リム１０２の上リム１０２ａと外リム１０２ｄの他に下リム１０２ｂにも係合することができる。このため、目の上側の部分と目の耳側の部分の他に目の下側の部分を覆うことができる。
【００４３】
実施の形態３の眼鏡用防塵具３０１は、実施の形態１の眼鏡用防塵具１と比較して、目の下側からの飛散物質の侵入を防ぐことができる。実施の形態３の眼鏡用防塵具３０１は、図１０に示すように、本体部３１０がヒンジ１０４やつる１０５を覆うように配置して、眼鏡１００に取り付けても良い。
【００４４】
以上、本発明の眼鏡用防塵具の実施の形態の説明を行ったが、本発明は、この実施の形態に限定されることはなく、本発明の目的、趣旨を逸脱しない範囲内で変更ができる。本実施の形態の眼鏡用防塵具は、目の回りの一部を覆っているが、目の回りの全体を覆えるようにリムに係合するように形成しても良いことはいうまでもない。また、本実施の形態の眼鏡用防塵具は、フルリムタイプの眼鏡に対してリムに係合して使用されている。
【００４５】
しかし、ハーフリムタイプの眼鏡のようにレンズの一部しか覆っていないリムを使用する眼鏡や、ツーポイントタイプの眼鏡のようにレンズにリムがない眼鏡に使用しても良いことはいうまでもない。この場合、長係合部や短係合部は、リムに限らずレンズに直接係合すればよく、眼鏡用防塵具は、軟質で弾性変形可能な部材で形成されているため、レンズを傷つけることなく使用することができる。
【００４６】
本実施の形態の長係合部又は短係合部は、断面視略Ｃ字形状に形成された挟持構造を使用しているが、他の挟持構造でも良い。例えば、平行に突出した２枚の弾性変形可能な板状部材を挟持構造とすることもできる。そして、２枚の板状部材間の隙間寸法を、レンズやリムの厚み寸法より小さく形成すると係合状態を維持することができる。また、眼鏡用防塵具の長係合部又は短係合部の形状や長さは、取り付ける眼鏡のレンズ及び／又はリムの形状や長さに対応して様々なものを用意しても良い。
【００４７】
本実施の形態では、眼鏡用防塵具は、ミラブル型シリコーンをロール（ロールミル)を用いて成形加工し、所定の金型で加熱、加圧して硬化して成形している。つまり、本実施の形態では、比較的粘性率が高いミラブル型シリコーンを材料として眼鏡用防塵具を製造している。しかし、眼鏡用防塵具は、ミラブル型シリコーンと比較して粘性率が低い液状シリコーンを材料として製造しても良い。眼鏡用防塵具は、液状シリコーンを材料として使用することで、ミラブル型シリコーンで製造したときと比較して、より透明度が高いものを製造することができる。
【００４８】
本実施の形態では、眼鏡用防塵具は、シリコーンで説明を行ったが、軟質で弾性変形可能な部材であれば、他の部材でも良いことはいうまでもない。例えば、合成樹脂、エラストマー又はゴムから選択される１種以上で形成されていれば良い。なお、合成樹脂、エラストマー又はゴムは、帯電しやすく空気中の飛散物質を吸い寄せてしまいその表面に付着してしまうので、帯電防止加工を施すと良い。帯電防止加工としては、眼鏡用防塵具の材料となる合成樹脂、エラストマー又はゴムにカーボンを配合する方法やイオン伝導性帯電防止剤を配合する方法等の周知の方法を使用すれば良い。
【符号の説明】
【００４９】
１  …  眼鏡用防塵具
１０  …  本体部
１１  …  縁沿部
１２  …  顔面接触部
２１  …  長係合部
２１ａ  …  切欠
２１ｂ  …  内径
２２  …  短係合部
【図１】
2015068964.tif 000003
【図２】
2015068964.tif 000004
【図３】
2015068964.tif 000005
【図４】
2015068964.tif 000006
【図５】
2015068964.tif 000007
【図６】
2015068964.tif 000008
【図７】
2015068964.tif 000009
【図８】
2015068964.tif 000010
【図９】
2015068964.tif 000011
【図１０】
2015068964.tif 000012